(57)【要約】【課題】大画面でタッチパネル式の携帯端末装置の片手での操作性の向上を図る。【解決手段】表示画面に触れることで入力操作を行うためのタッチパネルを備えた携帯端末装置の表示制御方法であって、表示画面への所定の入力操作を検出することで使用者が左右いずれの手を保持手として携帯端末装置をつかんでいるのかを判断し、表示画面の表示をそのまま縮小して判断した保持手の親指側に寄せ、保持手の親指による入力操作が可能な範囲にアイコン群を再配置して表示する。【選択図】図４
2014179877.tif 000002
【特許請求の範囲】
【請求項１】
表示画面に触れることで入力操作を行うためのタッチパネルを備えた携帯端末装置の表示制御方法であって、
表示画面への所定の入力操作を検出することで使用者が左右いずれの手を保持手として携帯端末装置をつかんでいるのかを判断し、
表示画面の表示をそのまま縮小して判断した保持手の親指側に寄せ、保持手の親指による入力操作が可能な範囲にアイコン群を再配置して表示する、ことを特徴とする携帯端末装置の表示制御方法。
【請求項２】
表示画面に触れることで入力操作を行うためのタッチパネルを備えた携帯端末装置の表示制御方法であって、
表示画面への所定の入力操作を検出することで使用者が左右いずれの手を保持手として携帯端末装置をつかんでいるのかを判断し、
表示画面上に分散して配置されているアイコン群を集約して判断した保持手の親指側に寄せ、保持手の親指による入力操作が可能な範囲にアイコン群を再配置して表示する、ことを特徴とする携帯端末装置の表示制御方法。
【請求項３】
前記所定の入力操作は、表示画面上の一側寄りを保持手の親指を滑らす動作による操作であり、親指を滑らした位置および長さを基準にアイコン群を再配置する範囲を決定する、ことを特徴とする請求項１又は２に記載の携帯端末装置の表示制御方法。
【請求項４】
前記所定の入力操作は、表示画面上を保持手の親指を伸ばして円弧を描くように滑らす動作による操作であり、親指により描いた円弧の位置および大きさを基準にアイコン群を再配置する範囲を決定する、ことを特徴とする請求項１又は２に記載の携帯端末装置の表示制御方法。
【請求項５】
前記所定の入力操作は、表示画面上に設けた入力キー画像である画面縮小用アイコンに触れる動作による操作であり、画面縮小用アイコンに触れる回数によって縮小率を変更する、ことを特徴とする請求項１に記載の携帯端末装置の表示制御方法。
【請求項６】
携帯端末装置が軽く振られたことによる加速度を検出し、再配置したアイコン群を元の状態に戻して表示する、ことを特徴とする請求項１乃至５のいずれか一項に記載の携帯端末装置の表示制御方法。
【発明の詳細な説明】
【技術分野】
【０００１】
本発明は、タッチパネルを備えた携帯端末装置の表示制御方法に関する。
【背景技術】
【０００２】
近年、スマートフォン、タブレット型コンピュータ、携帯電話、ノートパソコン、ＰＤＡ、デジタルカメラ、音楽プレイヤー、ゲーム機と言った携帯端末装置が広く普及しておりこれらの機器では、特に、タッチパネルを備えたものが多くなってきている。タッチパネルを用いたＧＵＩ（Ｇｒａｐｈｉｃａｌ Ｕｓｅｒ Ｉｎｔｅｒｆａｃｅ）によれば、液晶画面上に表示されたアイコンやキーを指で触って直接的に操作することができるため、アプリケーションの起動や操作等を直感的に行うことができるといった利点がある。
【０００３】
スマートフォンに代表される携帯端末装置では、最近、液晶画面に表示できる情報量を増大させ、また表示される情報を見やすくすべく液晶画面が大画面化する傾向にある。その一方、携帯端末装置自体には小型化・軽量化が求められている。そのため、液晶画面の大画面化のニーズと携帯端末装置自体の小型化・軽量化のニーズとを両立すべく、スマートフォンにおいては片手で容易に保持することができる程度の大きさの機器、具体的には、液晶画面のサイズが４インチから６インチ近い大きさの機器が増えてきている。
【０００４】
従来の３．５インチ程度までの大きさの液晶画面のスマートフォンでは、片手でスマートフォンを保持しながらタッチパネルを操作する場合、通常は一方の手のひらに載せたスマートフォンを親指の付け根部分と他の４本指で掴み、その手の親指の先で液晶画面上のアイコンやソフトキーに触れることで各種入力操作を行っていた。
【０００５】
ここで親指の可動範囲は限れており、特に液晶画面のサイズが４インチから６インチ近い大きさのスマートフォンにおいては、スマートフォンをつかんでいる手の親指から遠い領域に配置されたアイコンやソフトキーを親指で操作しようとしても通常は届かないため、スマートフォンを違う角度に握り直してやるか、他方の手を用いるかして入力操作する必要があった。
しかしながらスマートフォンを握り直す際には誤って落下させてしまう危険があり、また、混雑した電車内等で他方の手を用いることができないこともある。
【０００６】
そのため例えば、特許文献１には、使用者が携帯電話機を上下、左右、または奥手前方向に動かした時、ソフトウェアキーボードを移動させ、または拡大縮小する制御方法および装置が開示されている。この携帯電話機では、例えば、使用者が携帯電話機を右手に持ち、携帯電話機を左に動かすと、ソフトウェアキーボードは右に動くため、使用者は、右手で携帯電話機を持ちつつ、右手で操作することを可能としている。
【先行技術文献】
【特許文献】
【０００７】
【特許文献１】特開２０１０−２８２４５９号公報
【発明の概要】
【発明が解決しようとする課題】
【０００８】
しかしながら、特許文献１記載の技術は、携帯電話機を動かすと、タッチパネルディスプレイに表示されたソフトウェアキーボードが自由に動くものであるため、使用者の意図に反してキーボードが動いてしまうという問題があった。また、ソフトウェアキーボードを移動させる際、使用者が独自の判断と操作で移動量や移動方向を決めなければならないため、その操作には熟練を要し、不慣れな使用者にとっては、ソフトウェアキーボードを自分の操作しやすい位置に移動させるのは容易ではないといった問題があった。
【０００９】
本発明は、このような事情に鑑みてなされたものであり、使用者が片手で携帯端末装置を操作するときの操作性の向上と利便性の向上を図ることができる携帯端末装置の表示制御方法を提供することを目的とする。
【課題を解決するための手段】
【００１０】
本発明は、表示画面に触れることで入力操作を行うためのタッチパネルを備えた携帯端末装置の表示制御方法であって、表示画面への所定の入力操作を検出することで使用者が左右いずれの手を保持手として携帯端末装置をつかんでいるのかを判断し、表示画面の表示をそのまま縮小して判断した保持手の親指側に寄せ、保持手の親指による入力操作が可能な範囲にアイコン群を再配置して表示する、ことを特徴とする携帯端末装置の表示制御方法を提供する。
【００１１】
また本発明は、表示画面に触れることで入力操作を行うためのタッチパネルを備えた携帯端末装置の表示制御方法であって、表示画面への所定の入力操作を検出することで使用者が左右いずれの手を保持手として携帯端末装置をつかんでいるのかを判断し、表示画面上に分散して配置されているアイコン群を集約して判断した保持手の親指側に寄せ、保持手の親指による入力操作が可能な範囲にアイコン群を再配置して表示する、ことを特徴とする携帯端末装置の表示制御方法を提供する。
【００１２】
ここで、前記所定の入力操作は、表示画面上の一側寄りを保持手の親指を滑らす操作であり、親指を滑らした位置および長さを基準にアイコン群を再配置する範囲を決定する、ものとする。
【００１３】
または、前記所定の入力操作は、表示画面上を保持手の親指を伸ばして円弧を描くように滑らす操作であり、親指により描いた円弧の位置および大きさを基準にアイコン群を再配置する範囲を決定する、ものとする。
【００１４】
もしくは、前記所定の入力操作は、表示画面上に設けた入力キー画像である画面縮小用アイコンに触れる操作であり、画面縮小用アイコンに触れる回数によって縮小率を変更する、こととしてもよい。
【００１５】
なお、携帯端末装置が軽く振られたことによる加速度を検出し、再配置したアイコン群を元の状態に戻して表示する、ことも好ましい。
【発明の効果】
【００１６】
本発明の携帯端末装置の表示制御方法によれば、表示画面への所定の入力操作から保持手を判断し、その保持手の親指による操作が可能な範囲にアイコン群を縮小または集約して再配置して表示することで、大画面化した携帯端末装置においても、携帯端末装置を握り直すことなく、簡易な操作により握った一方の手のみによる入力操作を可能として、使用者の操作性の向上と利便性の向上を図ることができる。
【図面の簡単な説明】
【００１７】
【図１】携帯端末装置であるスマートフォンの（ホーム画面の）一例を示した正面図である。
【図２】制御部のハードウェア構成の一例を示した図である。
【図３】制御部のハードウェア構成の一例を示した図である。
【図４】右手モード（ａ）の操作における制御処理のフロー図および液晶画面のイメージ図である。
【図５】右手モード（ｂ）の操作における制御処理のフロー図および液晶画面のイメージ図である。
【図６】右手モード（ｃ）の操作における制御処理のフロー図および液晶画面のイメージ図である。
【発明を実施するための形態】
【００１８】
本発明は、スマートフォンに代表される携帯端末装置の表示制御方法に関するものであり、液晶や有機ＥＬなどのディスプレイ画面に表示されたアイコンやキーを指先で触れることにより入力操作を行うことができるタッチパネルを用いた端末装置、より具体的には、通常片手で保持しながらタッチパネルを操作する端末装置において、一方の手のひらに載せた携帯端末装置を、その手の親指の先で入力操作しようとしても、画面のサイズが大きい場合には、その親指から遠い画面位置に表示されたアイコン等には親指が届かず入力操作することができないといった問題を解決して使用者の操作性の向上と利便性の向上を図るものである。
【００１９】
なお本実施形態では携帯端末装置の具体例としてスマートフォンを用いて説明を行うが、携帯端末装置には、移動しながら通信を行ったり映像や音楽、ゲームなどを楽しむことができる装置であれば、スマートフォン、タブレット型コンピュータ、携帯電話、ノートパソコン、ＰＤＡ、デジタルカメラ、音楽プレイヤー、ゲーム機などが含まれ、本発明がスマートフォンに限定して適用されるわけではない。
【００２０】
図１に近年一般的となってきている画面のサイズが４インチから６インチ程度の大きさの携帯端末装置であるスマートフォン１の一例を示した。なおハッチングで示した四角枠はホーム画面に表示された各アイコンＡを表している。また破線により使用者がスマートフォン１を保持・操作する右手のイメージを示した。
【００２１】
図１に示したスマートフォン１は、機器正面に画面表示を行う表示部１２が大きく配置され、また、表示部１２の下側および機器側面には物理的に押すことで操作が行われるハードキー１４が配置されている。またスマートフォン１には、デジタルカメラ、マイク、スピーカ、マイクロＳＤスロット、イヤホン・マイク端子、ＧＰＳ受信機、加速度センサ、電子コンパスなども備えられている。
【００２２】
表示部１２は液晶画面（ＬＣＤ）１０およびタッチパネル２０とから構成されている。
液晶画面１０は、使用者がスマートフォン１を操作する際に必要な情報を表示するデバイスであるカラー液晶のパネルであり、本実施例では画面のサイズは５インチ程度となっている。
タッチパネル２０は、透明な薄膜状のセンサにより使用者の操作を検出するデバイスである。タッチパネル２０の方式には、投影型静電容量方式、抵抗膜方式、表面型静電容量方式、超音波表面弾性波方式、音響パルス認識方式、振動検出方式、赤外線遮光方式、電磁誘導方式、画像認識方式、光センサ内蔵ＬＣＤ方式、静電容量方式や感圧方式など種々の方式が存在するが、本実施例では特にその方式は問わない。薄膜状のタッチパネル２０は液晶画面１０上に配置されており、そのため液晶画面１０の表示領域がそのままタッチパネル２０による操作領域となる。
なおこの画面サイズのスマートフォン１では、図からも理解可能なように、スマートフォン１を保持する片方の手（「保持手」と呼ぶ。）の親指によって、保持手と反対側の画面上にあるアイコンＡをタッチ操作することは大人であっても困難であるのが通常である。
【００２３】
ハードキー１４には、表示部１２の下側中央にホームボタン１４ａが配置され、機器側面には電源ボタン１４ｂとボリュームボタン１４ｃなどが配置されている。
ホームボタン１４ａはアプリケーションの起動中に、ホーム画面に移動するためのボタンであり、ホーム画面ではアプリケーション等を表示するアイコンに触れる（タップする）ことでアプリケーション等を起動することができる。
電源ボタン１４ｂはスマートフォン１の電源を投入したり、起動状態のスマートフォン１をスリープ状態にしたり、長押し操作によって起動中のスマートフォン１を強制終了する際に用いられ、ボリュームボタンは通話中の音声や、再生中の音楽・ムービーなの音量を調節や、着信音、通知音、その他のサウンド効果の音量を変更するために用いられる。
【００２４】
次に、スマートフォン１の内部構成、特にスマートフォン１の主要部であり各種制御を行う制御部のハードウェア構成のうち本発明に関連する部分について説明する。
図２は、制御部４０のハードウェア構成の一例を示した図である。制御部４０は、ＣＰＵ４１と、記憶部４２と、ＲＡＭ４３とを有して構成されており、バス４４を介して接続されている。またスマートフォン１には、加速度センサ、電子コンパス、ＧＳＰ受信用センサ等のデバイスが備えられており、これらもバス４４を介して制御部４０と接続されているが、本発明とは直接関係しないため図示を省略している。
【００２５】
ＣＰＵ４１は、プログラムに従って演算処理を実行する中央演算処理装置である。ＣＰＵ４１がプログラムに基づき演算処理を実行することによって、スマートフォン１の各種の機能・アプリケーション処理が実現される。
ＲＡＭ４３は、ＣＰＵ４１がプログラムを実行する際に一時的に必要とするデータを格納する作業用メモリである。
【００２６】
記憶部４２では、ＣＰＵ４１がスマートフォン１の各機能を実現する際に必要となる各種の設定情報を記憶する。記憶部４２で記憶する情報には、スマートフォン１の現在の動作モードや、画面に表示するキー情報、キー選択画面の表示方向などがある。さらに、記憶部４２は不揮発性メモリ４２１及びＲＯＭ４２２を備える。不揮発性メモリ４２１は、スマートフォン１に供給されている電源がＯＦＦとなった後も記憶する必要がある情報を保持する。ＲＯＭ４２２は、ＣＰＵ４１が実行する各種の制御用プログラムや内蔵コンテンツといった固定的なデータを格納する記憶装置であり、本発明の表示制御方法を実現するためのプログラムもここに格納されている。
【００２７】
図３にタッチパネル２０に関する制御部４０のハードウェア構成の一例を示した。制御部４０には、特にタッチパネル２０による入力操作を可能とするため、タッチパネル制御部１００と、入力操作検出部２００と、液晶画面制御部３００と、画面表示制御部４００と、が備えられている。制御部４０は、入力操作検出部２００が検出した使用者による操作に基づいて動作モードの切り替えや、各アプリケーションに対する動作指示、使用者がスマートフォン１を操作する際に必要な情報の生成及び表示など実現する。
【００２８】
タッチパネル制御部１００は、タッチパネル２０と接続されており、ハードウェアとしてのタッチパネル２０の設定・駆動を行う役割を担う。タッチパネル制御部１００では、使用者がタッチパネル２０に触れた位置（物理的な座標）を検出し、その座標情報を入力操作検出部２００に送信する。
【００２９】
入力操作検出部２００は、タッチパネル制御部１００から受け取った座標情報から、使用者がタッチパネル２０に触れた位置を液晶画面１０における座標（論理的な座標）として算出する。そしてどのアイコンＡやソフトキーが選択されたのか等の判断を行う。そしてこの判断に基づき各種アプリケーションの起動や各種処理等を実行する。なお、入力操作検出部２００では、ハードキー１４による操作の検出も行う。
【００３０】
液晶画面制御部３００は、液晶画面１０と接続されており、ハードウェアとしての液晶画面１０の設定・駆動を行う役割を担う。液晶画面制御部３００では、画面表示制御部４００から送信されてくる画面表示情報からタッチパネル２０操作に適した液晶画面１０を駆動するための信号を生成し、液晶画面１０に送信する。
【００３１】
画面表示制御部４００は、使用者が操作する際に直接目にするアイコン群の表示イメージを生成する。画面表示制御部４００で必要とする情報には、どのようなアイコンＡを表示させるのか、そのアイコンＡをどの位置に表示させるのかといった内容が含まれる。
【００３２】
次に、本発明によるスマートフォン１の制御方法について説明する。
本発明は、液晶画面１０のサイズが大きく、保持手の親指から遠い領域に配置され通常保持手では操作することができなかったアイコンＡやソフトキーを、人間工学に基づき機能的に再配置することで、使用者が保持手片手でスマートフォン１を操作することを可能とするものである。
以下、スマートフォン１のホーム画面の表示形式について、従来の表示形式である「通常モード」と、本発明の表示形式である「右手モード」および「左手モード」とに分けて説明する。
【００３３】
［通常モード］
このモードは従来形式の画面表示を行うモードであり、使用者は通常、一方の手でスマートフォン１を支え、他方の手を使って入力操作を行うことになる。
【００３４】
通常モードにおけるスマートフォン１の液晶画面１０のホーム画面の一例は図１に示した通りである。
このホーム画面では各種アプリケーション等を実行するための複数のアイコンＡ（アイコン群）が等間隔で画面上いっぱいに整然と並んで表示されている。使用者は、通常このアイコン群の中から実行したいアプリケーション等のアイコンＡに指先を触れるように操作することで、タッチパネル２０と接続されたタッチパネル制御部が指先が触れた位置を検出し、その座標情報を入力検出部に送信し、座標情報を受け取った入力操作検出部２００は、液晶画面１０のどの座標のアイコンＡが選択されたかを判断し、その情報を記憶部４２およびＲＡＭ４３と接続されたＣＰＵ４１に送信する。そしてＣＰＵ４１は、記憶部４２およびＲＡＭ４３等と連関しながら各種処理を行いスマートフォン１の各種の機能・アプリケーションを実現するが、その詳細な説明は省略する。
なおプログラムの削除など特別な場合については、ホーム画面でアイコンＡが表示された場所以外の液晶画面１０上を数秒間触れ続けるなどの操作などが行われることもある。
【００３５】
［右手モード］
このモードは、使用者が右手を保持手として掌と親指以外の指でスマートフォン１を支えた状態で、右手の親指を使って入力操作を行うことを可能とするためのモードである。
【００３６】
図４から図６に右手モードにおける制御部での処理フローおよびスマートフォンの画面表示のイメージを示した。
当初スマートフォン１の画面が通常モードのホーム画面であり、複数のアイコンＡが等間隔で画面上いっぱいに整然と並んで表示されている状態から、右手モードでの操作をしようとする使用者は、表示画面（タッチパネル２０）に所定の入力操作を行うことで、表示画面の表示がそのまま縮小されて保持手の親指側に寄せられ、保持手の親指による入力操作が可能な範囲にアイコン群が再配置されて表示されるようになっている。
【００３７】
ここで所定の入力操作の具体例としては、（ａ）表示画面上の右寄りの一側を右手の親指を滑らす動作、（ｂ）表示画面上を右手の親指を伸ばして円弧を描くように滑らす動作、もしくは、（ｃ）表示画面上に設けた入力キー画像である画面縮小用アイコンＢに触れる動作、などがあげられる。
【００３８】
図４に（ａ）の操作における制御処理のフロー図および液晶画面のイメージ図を示した。
（ａ）の操作では、使用者が通常モードでホーム画面の画面上の右寄りの任意の位置（アイコンＡが表示されていない位置が好ましい）を始点として上方から下方に親指を滑らす動作（フリック動作）を、タッチパネル２０からの信号を基にタッチパネル制御部１００が検出し、その座標情報を入力操作検出部２００に送信する。入力操作検出部２００は、タッチパネル制御部１００から受け取った座標情報から、ホーム画面の表示を通常モードから右手モードに切り替えるための操作が行われたことを検出し、親指を滑らした位置および長さを基準にアイコン群を再配置する範囲（位置、大きさ）を決定し、その情報（範囲情報）を液晶画面制御部３００に送信する。液晶画面制御部３００では受信した範囲情報を基に、通常モードの表示画面の表示をそのまま縮小して右手の親指側に寄せて液晶画面１０に表示させるための信号を生成し画面表示制御部４００に送信する。画面表示制御部４００は縮小したアイコン群の表示イメージを生成し、これを液晶画面１０の右寄りで右手の親指による操作が可能な範囲に表示する。
なお、右手モードへの切り替えによる通常モードの表示画面の表示を縮小する縮小率は固定値（初期値から変更可能であることが望ましい）としてもよいが、親指を滑らした位置および長さをタッチパネル制御部１００が検出しその情報を基準に決定するものとしてやってもよい。このようにしてやれば、使用者に大人・子供、男性・女性の違いがあったとしてもその使用者に最適な縮小率を半自動的に判別して右手モードの画面表示をしてやることができる。また親指を滑らせたストロークの長さの代わりに親指が画面に触れている時間の長さを基準に、触れている時間が長ければアイコン群をより小さく縮小して表示し、触れている時間が短ければよりアイコン群をさほど小さくせずに表示するように縮小率を決定するようにしてやってもよい。
【００３９】
図５に（ｂ）の操作における制御処理のフロー図および液晶画面のイメージ図を示した。
（ｂ）の操作では、使用者が通常モードでホーム画面の画面上の任意の位置（アイコンＡが表示されていない位置が好ましい）を始点として右手の親指を伸ばして円弧を描くように滑らす動作を、タッチパネル２０からの信号を基にタッチパネル制御部１００が検出し、その座標情報を入力操作検出部２００に送信する。入力操作検出部２００は、タッチパネル制御部１００から受け取った座標情報から、ホーム画面の表示を通常モードから右手モードに切り替えるための操作が行われたことを検出し、親指を滑らして描かれた円弧の形状（中心点が右側にあること）および大きさ（円弧の半径）を基準にアイコン群を再配置する範囲（位置、大きさ）を決定し、その情報（範囲情報）を液晶画面制御部３００に送信する。液晶画面制御部３００では受信した範囲情報を基に、通常モードの表示画面の表示をそのまま縮小して右手の親指側に寄せて液晶画面１０に表示させるための信号を生成し画面表示制御部４００に送信する。画面表示制御部４００は縮小したアイコン群の表示イメージを生成し、これを液晶画面１０の右寄りで右手の親指による操作が可能な範囲に表示する。
なお、右手モードへの切り替えによる通常モードの表示画面の表示を縮小する縮小率は固定値（初期値から変更可能であることが望ましい）としてもよいが、親指を滑らして描いた円弧の大きさをタッチパネル制御部１００が検出しその情報を基準に決定するものとしてやってもよい。
【００４０】
図６に（ｃ）の操作における制御処理のフロー図および液晶画面のイメージ図を示した。
（ｃ）の操作では、例えば液晶画面１０上の左右両方に画面縮小用アイコンＢを小さく設け、この画面縮小用アイコンＢに触れる動作（タップ）を、タッチパネル２０からの信号を基にタッチパネル制御部１００が検出し、その座標情報を入力操作検出部２００に送信する。入力操作検出部２００は、タッチパネル制御部１００から受け取った座標情報から、ホーム画面の表示を通常モードから右手モードに切り替えるための操作が行われたことを検出し、画面縮小用アイコンＢに触れられた旨の情報（縮小用アイコン操作情報）をその都度液晶画面制御部３００に送信する。液晶画面制御部３００では受信した縮小用アイコン操作情報およびその入力回数を基に、通常モードの表示画面の表示を縮小する縮小率を決定し、画面表示制御部４００は縮小したアイコン群の表示イメージを生成し、これを液晶画面１０の右寄りで右手の親指による操作が可能な範囲に表示する。また親指を触れた入力回数の代わりに親指が画面縮小用アイコンＢに触れている時間の長さを基準に、触れている時間が長ければアイコン群をより小さく縮小して表示し、触れている時間が短ければよりアイコン群をさほど小さくせずに表示するように縮小率を決定するようにしてやってもよい。さらに画面縮小用アイコンＢに指が触れると、このアイコンＢが伸張するように拡大し、その操作を容易にしてやることも好ましい。このとき伸張した画面縮小用アイコンＢがアイコンＡの上に重なるように表示されることに問題はない。
【００４１】
なお、以上に説明した［右手モード］での画面表示の縮小表示は、［通常モード］におけるホーム画面の全体を縮小、すなわちアイコンＡ自体の大きさも縮小して表示するものであったが、アイコンＡ自体は縮小することなく隙間を空けて分散して配置されているアイコン群をその隙間を狭めまたはなくすように集約して右手の親指側に寄せ、右手の親指による入力操作が可能な範囲にアイコン群を再配置して表示するようにしてやってもよいし、アイコンＡ自体を縮小しつつ、アイコン群の隙間を狭める等して集約して再配置するようにしてやってもよい。
【００４２】
［左手モード］
このモードは、使用者が左手を保持手として掌と親指以外の指でスマートフォン１を支えた状態で、左手の親指を使って入力操作を行うことを可能とするためのモードである。
【００４３】
左手モードによるタッチパネル２０の操作および制御は、上述した［右手モード］を左手に置き換えてやったものとほぼ同様のものとなり、上述の［右手モード］の「右」の記載をすべて「左」に、「左」の記載をすべて「右」に読み替えてやるだけで容易に理解可能となるため詳細な説明は省略する。
【００４４】
なお［右手モード］および［左手モード］において、縮小等して表示した画面を元の［通常モード］の表示の大きさに戻すためには、使用者が手に持ったスマートフォン１を軽く振ることで、スマートフォン１に内蔵された加速度センサがこれを検出してその検出信号を制御部に送信し、制御部ではこの検出信号を基に縮小等して表示した画面を元の状態（位置・大きさ）に戻して全画面表示するように制御を行う。
【００４５】
以上に説明したタッチパネル２０を備えた携帯端末装置であるスマートフォン１の［右手モード］および［左手モード］の制御方法では、ホーム画面の画面表示をそのまま縮小等して表示するものであったが、この制御方法はホーム画面に限られずアプリケーションを起動した後の各種画面にも応用して適用することができる。
【００４６】
このように本発明の携帯端末装置の表示制御方法によれば、これまで片手で保持および操作の両方の行うことができなかった画面のサイズの大きなタッチパネル２０を備えた携帯端末装置においても片手での操作が可能となり、使用者の操作性の向上と利便性の向上を図ることができる。
【符号の説明】
【００４７】
１  スマートフォン
１０  液晶画面（ＬＣＤ）
１２  表示部
１４  ハードキー
１４ａ  ホームボタン
１４ｂ  電源ボタン
１４ｃ  ボリュームボタン
２０  タッチパネル
４０  制御部
４１  ＣＰＵ
４２  記憶部
４３  ＲＡＭ
４４  バス
１００  タッチパネル制御部
２００  入力操作検出部
３００  液晶画面制御部
４００  画面表示制御部
４２１  不揮発性メモリ
４２２  ＲＯＭ
Ａ  アイコン
Ｂ  画面縮小用アイコン
【図１】
2014179877.tif 000003
【図２】
2014179877.tif 000004
【図３】
2014179877.tif 000005
【図４】
2014179877.tif 000006
【図５】
2014179877.tif 000007
【図６】
2014179877.tif 000008